(57)【特許請求の範囲】
【請求項１】
第１の非接触式トークン発売機の本体に所定の金額を満たす金銭が投入されたときに、その第１の非接触式トークン発売機の本体に着脱自在に装着された第１のケース内に設けられている複数のマガジンの一つから１個の非接触式トークンを排出して発行する第１の非接触式トークン発売機と、
第２の非接触式トークン発売機の本体に所定の金額を満たす金銭が投入されたときに、その第２の非接触式トークン発売機の本体に着脱自在に装着された第２のケース内に設けられている複数のマガジンの中からその所定の金額に対応する非接触式トークンを１個排出して発行する第２の非接触式トークン発売機と、
非接触式自動改札機の本体に投入された所定の一種類の非接触式トークンを収納する複数のマガジンと該マガジンが満杯になった場合に非接触式トークンを収納する予備の収納部とが設けられた第１のケース及びその非接触式自動改札機の本体に投入された所定の複数の非接触式トークンを種別毎に収納する複数のマガジンと該複数のマガジンのうちいずれかのマガジンが満杯になった場合にその満杯になったマガジン用の非接触式トークンを収納する予備の収納部とが設けられた第２のケースをその非接触式自動改札機の本体内に着脱自在に設けた非接触式自動改札機と、
を有し、
前記非接触式自動改札機の本体に装着されている前記第１のケース及び前記第２のケースを前記第１の非接触式トークン発売機の本体及び前記第２の非接触式トークン発売機の本体にそれぞれ装着することを特徴とする非接触式トークンを用いた改札システム。
【請求項２】
前記第２のケースに設けられる前記予備の収納部は、最も発売量の多い種類の非接触式トークン用のマガジンが満杯になった場合、その非接触式トークンを収納する予備の収納部と、前記最も発売量の多い種類以外の非接触式トークン用のマガジンが満杯の場合、その非接触式トークンを収納する予備の収納部とから成ることを特徴とする請求項１に記載の非接触式トークンを用いた改札システム。
【請求項３】
非接触式トークンを種別毎に色彩を異ならせたことを特徴とする請求項１又は２に記載の非接触式トークンを用いた改札システム。
【請求項４】
前記第２のケースに設けられる前記複数のマガジンは、収納するそれぞれの前記非接触式トークと同一の色彩とすることを特徴とする請求項３に記載の非接触式トークンを用いた改札システム。
【発明の詳細な説明】
【０００１】
【発明の属する技術分野】
本発明は、非接触式自動改札機で用いられる非接触式トークンを用いた改札システムに関する。
【０００２】
【従来の技術】
近年、利用者（旅客）の利便性を高めるために、乗車券を自動改札機に投入することなく、非接触式に自動改札が行える非接触式自動改札機が提案されている（例えば、特開平１−２４６６８７号公報）。このような非接触式自動改札機で用いられる乗車券は、無線通信機能を備えたＩＣカードから構成されていて、この非接触式乗車券と非接触式自動改札機との間で、非接触でデータの授受が行われて入出場（入場又は出場を意味している。）処理が行われるように構成されている。
【０００３】
また、非接触式乗車券は、無線通信機能を備えたＩＣカードからなるので、磁気券に比べて製造コストが高く、したがって、１回限りの普通券や一日乗車券、あるいは回数券等の比較的短期間の乗車券を非接触式乗車券とした場合は、運用コストがかさんで現実的でなくなるという問題点を含んでいる。そこで、本出願人は、このような問題点を解決するために、特願２００１−２７００号等において、短期使用券を非接触式トークン（以下、非接触式トークンの本体を含めて  「トークン」という。）とし、そのトークンを回収して繰返し使用できる改札処理システムを提案している。
【０００４】
上述のように、短期使用券をトークンとしたときは、磁気券を処理するための自動改札機を設置する必要がなく、設備コストを低減することができるという特長が得られるだけでなく、トークンを繰返し使用できるので省資源化を図ることが可能となる。
【０００５】
【発明が解決しようとする課題】
しかしながら、上述のように短期使用券をトークンとし、これを繰返し使用できるようにしたときは、非接触式自動改札機で回収したトークンをトークン発売機に簡単にセットできるようにすることなど、トークンの取扱が容易に行えるようにすることが望まれていた。
【０００６】
そこで、本発明は、上記要望に応えるためになされたものであって、その目的は、非接触式自動改札機の本体で回収したトークンをトークン発売機の本体に簡単にセットできるようにした、非接触式トークンを用いた改札システムを提供することにある。
【０００８】
【課題を解決するための手段】
本発明に係る非接触式トークンを用いた改札システムは、上記目的を達成するために、請求項１の発明は、第１の非接触式トークン発売機の本体に所定の金額を満たす金銭が投入されたときに、その第１の非接触式トークン発売機の本体に着脱自在に装着された第１のケース内に設けられている複数のマガジンの一つから１個の非接触式トークンを排出して発行する第１の非接触式トークン発売機と、第２の非接触式トークン発売機の本体に所定の金額を満たす金銭が投入されたときに、その第２の非接触式トークン発売機の本体に着脱自在に装着された第２のケース内に設けられている複数のマガジンの中からその所定の金額に対応する非接触式トークンを１個排出して発行する第２の非接触式トークン発売機と、非接触式自動改札機の本体に投入された所定の一種類の非接触式トークンを収納する複数のマガジンと該マガジンが満杯になった場合に非接触式トークンを収納する予備の収納部とが設けられた第１のケース及びその非接触式自動改札機の本体に投入された所定の複数の非接触式トークンを種別毎に収納する複数のマガジンと該複数のマガジンのうちいずれかのマガジンが満杯になった場合にその満杯になったマガジン用の非接触式トークンを収納する予備の収納部とが設けられた第２のケースをその非接触式自動改札機の本体内に着脱自在に設けた非接触式自動改札機と、を有し、前記非接触式自動改札機の本体に装着されている前記第１のケース及び前記第２のケースを前記第１の非接触式トークン発売機の本体及び前記第２の非接触式トークン発売機の本体にそれぞれ装着することを特徴としている。
本発明の請求項２に係る非接触式トークンを用いた改札システムは、前記第２のケースに設けられる前記予備の収納部は、最も発売量の多い種類の非接触式トークン用のマガジンが満杯になった場合、その非接触式トークンを収納する予備の収納部と、前記最も発売量の多い種類以外の非接触式トークン用のマガジンが満杯の場合、その非接触式トークンを収納する予備の収納部とから成ることを特徴としている。
本発明の請求項３に係る非接触式トークンを用いた改札システムは、非接触式トークンを種別毎に色彩を異ならせたことを特徴としている。
本発明の請求項４に係る非接触式トークンを用いた改札システムは、前記第２のケースに設けられる前記複数のマガジンは、収納するそれぞれの前記非接触式トークと同一の色彩とすることを特徴としている。
【０００９】
【発明の実施の形態】
以下、本発明の実施の形態を図面に基づいて説明する。図１は一実施の形態に係る非接触式トークンを用いた改札システムの概略構成図である。
【００１０】
図１中、ｔ1 は、本発明の第１の非接触式トークン発売機に相当する非接触式トークン発売機の本体（以下、「発売機本体」という。）であり、ｔ2 は、本発明の第２の非接触式トークン発売機に相当する発売機本体であって、トークンＴをそれぞれ発行できるように構成されている。これら発売機本体ｔ1 ，ｔ2 の具体的構成については、後に詳述する。また、図１中、Ｇは非接触式自動改札機の本体（以下、「改札機本体」という。）であって、非接触券及びトークンＴを用いた入出場処理ができるように構成されている。この改札機Ｇの具体的構成については、後に詳述する。
【００１１】
図１中、Ｃ1 は、本発明の第１のケースに相当するケースであり、Ｃ2 は、本発明の第２のケースに相当するケースであって、これらケースＣ1 ，Ｃ2 は、発売機本体ｔ1 ，ｔ2 及び改札機本体Ｇの所定位置に着脱自在に装着（セット）できるように構成されている。そして、これらケースＣ1 ，Ｃ2 内には、トークンＴを積層して収納することのできる複数本（図１の例では６本）のマガジン（収納筒）Ｍ，Ｍ…を収納することができるように構成されている。これらケースＣ1 ，Ｃ2 の具体的構成については、後に詳述する。
【００１２】
図１中、Ｅは、トークンエンコーダであって、このトークンを用いた改札システムの運用開始に当ってトークンＴに所定のデータを書込むことができるように構成されている。すなわち、このトークンエンコーダＥは、トークンメーカ等の所定の場所に設置されていて、トークンＴに対して金額データ等の所定のデータを書込み、そのデータの書込まれたトークンＴをマガジンＭ，Ｍ…に収納するとともに、それらマガジンＭ，Ｍ…がケースＣ1 ，Ｃ2 にそれぞれ収納されている。
【００１３】
図１において、ケースＣ1 に収納されている複数本すべてのマガジンＭ，Ｍ…に収納されているトークンＴは、発売機本体ｔ1 ，ｔ2 の設置駅で最も発売量の多い種類のトークン、例えば１区間用のトークンＴが収納されている。また、ケースＣ2 には、発売機本体ｔ1 ，ｔ2 の設置駅から発売可能な全種類のトークンＴが種別毎にマガジンＭ，Ｍ…にそれぞれ収納されている。
【００１４】
上述のケースＣ1 ，Ｃ2 のうち、ケースＣ1 は、発売機本体ｔ1 の所定位置に装着され、ケースＣ2 は、発売機本体ｔ2 の所定位置に装着される。又、改札機本体Ｇには、マガジンＭ，Ｍ…が空の状態のケースＣ1 ，Ｃ2 が装着され、発売機本体ｔ1 ，ｔ2 及び改札機本体Ｇを用いた改札システムが開始される。なお、図１においては、１種類のトークンＴを発売する発売機本体ｔ1 、複数種のトークンＴを発売する発売機本体ｔ2 及び改札機本体Ｇが各１台ずつしか示されていないが、これは説明の便宜のためであって、実際は、一つの駅に複数台ずつ設置される。
【００１５】
上述の発売機本体ｔ1 ，ｔ2 及び改札機本体Ｇを用いた改札システムにおいて、発売機本体ｔ1 又は発売機本体ｔ2 にトークンＴの購入金額を満たす金銭（プリペイドカードなどのカード類を含む。）が投入されると、所定のマガジンＭから１個のトークンＴが排出されて利用者に渡される。したがって、その利用者は、トークンＴを改札機本体Ｇのアンテナに軽くタッチして、あるいはそのアンテナにかざして、又はそのトークンＴを改札機本体Ｇのトークン投入口に投入して入場することができる。
【００１６】
利用者は、下車駅において、その下車駅に設置されている改札機本体Ｇのトークン投入口にトークＴを投入すると、出場が許可されるとともに、その投入されたトークンＴは、そのトークンＴの種別に合わせて改札機本体Ｇ内に設けられているケースＣ1 ，Ｃ2 のいずれかのマガジンＭに選別されて収納される。もちろん、トークンＴが回数券式あるいは往復券式のような利用者に返却する必要がある場合は、投入されたトークンＴは返却口に返却され、または、アンテナにトークンＴを軽く触れ、あるいはそのアンテナにかざすだけで出場することができる。
【００１７】
改札機本体Ｇに装着されたケースＣ1 ，Ｃ2 のマガジンＭ，Ｍ…が図示しないセンサにより満杯が検出されると、ケースＣ1 ，Ｃ2 は、空のマガジンＭ，Ｍ…の収納されているケースＣ1 ，Ｃ2 と交換される。改札機本体Ｇから外された満杯のケースＣ1 ，Ｃ2 は、発売機本体ｔ1 ，ｔ2 に装着されて、トークンの発売に供される。
【００１８】
次に、図２を用いて上述した改札機本体Ｇについて説明する。図２は、改札機本体Ｇの斜視図であって、その改札機本体Ｇの入口側の筐体Ｈの上面には、図示しない非接触式ＩＣカードからなる非接触券及びトークンＴと交信するための内部にアンテナａ1 を備えたカバーａ′が設けられている。
【００１９】
筐体Ｈの改札通路Ｐの入口側には、改札機本体Ｇの使用状態、つまり改札通路Ｐを通過できるか否かを利用者に表示するための表示部１が設けられている。また、図２中、Ｓ，Ｓ…は、改札通路Ｐへの利用者の進入又は改札通路Ｐからの退出、あるいは通過を検知するための光電式の人間検知器であって、筐体Ｈの側面に所定の間隔を保って設けられている。さらに、この人間検知器は、筐体Ｈの上面の改札通路Ｐと反対側でその改札通路Ｐの通過方向に沿って設けられたセンサ取付ボックス２内に設けられている反射型センサによっても構成されている。この反射型センサは、改札通路Ｐ内の大人の利用者を検知できるように構成されている。
【００２０】
筐体Ｈの側面には、利用者に対して音声により所定の案内をアナウンスするためのスピーカ３が取付けられているとともに、その筐体Ｈの側面の改札通路Ｐの出口側及び進入側には、ドアＤ1 ，Ｄ2 がそれぞれ設けられている。また、筐体Ｈの上面のほぼ中央部には、利用者に対して文字により所定の案内を行うための表示画面４が取付けられている。
【００２１】
図中、５は、トークンＴを改札機本体Ｇに投入するためのトークン投入口であって、アンテナａ1 と表示画面４ａとのほぼ中間位置の筐体Ｈの上面で改札通路Ｐ寄りに設けられている。このトークン投入口５の近くには、トークン投入口５に投入されたトークンＴと交信するためのアンテナａ2 が設けられている。また、６は、返却口であって、改札通路Ｐ側の筐体Ｈの側面上部に設けられていて、トークン投入口５から投入されたトークンＴを利用者へ返却するときに用いられる。なお、トークン投入口は、カバーａ′の中心位置に設けて、あるいは、アンテナ1 の近傍に設けて、一つのアンテナａ1 で非接触券もトークンＴも処理できるようにしてもよい。
【００２２】
マガジンＭ，Ｍ…（上記図１参照）を収納したケースＣ1 ，Ｃ2 は、筐体Ｈの改札通路Ｐ側に出入自在に設けられているボックスＢ内に着脱自在に設けられている。
【００２３】
図２中、７は、改札機本体Ｇの動作を司どる制御器であり、マイクロコンピュータを中心に構成されている。そして、この制御器７には、非接触券及びトークンＴとの間でデータの授受を行うためのアンテナａ1 ，ａ2 を接続したリーダライタＲ（後述の図３参照）が接続されている。
【００２４】
図３は、改札機本体Ｇに設けられている制御器７及びトークンＴの電気的構成を示すブロック図であって、制御器７側から説明すると、この制御器７のＣＰＵ２０は、ＲＯＭ２１に記憶されているシステムプログラム及びＲＡＭ２２に記憶されているワーキングデータを用いて演算処理を行って、改札機本体Ｇを統括的に制御できるように構成されている。そして、このＣＰＵ２０には、Ｉ／Ｏユニット２３を介してドアＤ1 ，Ｄ2 を駆動制御するドア駆動ユニット２４と、表示画面４の表示内容を駆動制御する表示画面駆動ユニット２５と、トークン投入口５に設けられているシャッタ５ａ（後述の図６参照）のソレノイドを駆動制御するソレノイド駆動ユニット２６とが接続されている。なお、このＣＰＵ２０には、人間検知器Ｓや図示しない反射型センサの検知信号を入力するためのセンサアンプや音声ドライバ、あるいは後述する分別器６０のソレノイドを駆動するドライバ等が接続されているが、ここでは省略されている。
【００２５】
リーダライタＲには、非接触券及びトークンＴと交信を行うためのアンテナａ1 ，ａ2 が接続されている。これらアンテナａ1 ，ａ2 は、非接触券及びトークンＴとデータ授受を行う機能と、非接触券及びトークンＴに電力を供給する機能とが備えられている。
【００２６】
トークンＴは、無線通信機能を有するＩＣカードと同様に構成されている。すなわち、このトークンＴには、アンテナＡと、改札機本体Ｇ側と交信するための通信制御部３０と、その通信制御部３０とＩ／Ｏユニット３１を介して接続されているＣＰＵ３２と、システムプログラムや乗車券データ等の所定のトークンデータの記録されているメモリ３３と、改札機本体Ｇからの電力波をアンテナＡを介して受信し、トークンＴの駆動電力を生成する電力生成回路３４とを有している。
【００２７】
図４は、上述した発行機本体ｔ1 ，ｔ2 の正面図である。なお、発行機本体ｔ1 ，ｔ2 の基本的な構成は同一であるので、以下、発行機本体ｔ1 を例に説明する。この発行機本体ｔ1 の接客パネル４０の上部には、発売機本体ｔ1 の稼働状態を案内する案内部４１が設けられる。
【００２８】
図４中、４２は、接客パネル４０の中央部分に設けられたタッチパネルからなる表示部であって、口座釦の他に小人券や枚数等の選択釦が表示できるように構成されている。図４中、４３は、接客パネル４０の下部に設けられている発売機ｔ1 に硬貨を投入するための硬貨投入口であり、４４は、発売機本体ｔ1 に紙幣を挿入するための紙幣挿入口であり、４５は、プリペイドカード等のカード類のカード挿入口であり、また、４６は、釣銭の排出口である。
【００２９】
図４中、４７は、接客パネル４０の下部に設けられたトークン取出口である。このトークン取出口４７には、ケースＣ1 （発売機本体ｔ2 の場合はケースＣ2 ）のマガジンＭ，Ｍ…からトークンＴが排出されるように構成されている。また、図４中、４８は、発売機本体ｔ1 を統括的に制御するＣＰＵを中心に構成された制御器である。
【００３０】
図５は、発売機本体ｔ1 に設けられている制御器４８及びトークンＴの電気的構成を示すブロック図であって、この制御器４８のＣＰＵ５０は、ＲＯＭ５１に記憶されているシステムプログラム及びＲＡＭ５２に記憶されているワーキングデータを用いて演算処理を行って、発売機本体ｔ1 を統括的に制御できるように構成されている。そして、このＣＰＵ５０には、Ｉ／Ｏユニット５３を介してタッチパネルからなる表示部を駆動制御する入出力ユニット５４と、硬貨投入口４３等から投入された金銭を検銭し、必要に応じて排出口４６に釣銭を排出する金銭処理ユニット５５と、カード挿入口４５から挿入されたカード類を処理するカード処理ユニット５６とが接続されている。
【００３１】
Ｉ／Ｏユニット５３に接続されているリーダライタＲには、トークンＴと交信を行うためのアンテナａ0 が接続されている。このアンテナａ0 は、トークン取出口４７に排出されるトークンＴとデータ授受を行う機能と、そのトークンＴに電力を供給する機能とが備えられている。すなわち、このアンテナａ0 を介してトークンＴに発売駅や発売日等の所定のデータが書込まれる。また。このアンテナａ0 を介してトークンＴに必要に応じて金額データや区数データ等も書込むことができる。
【００３２】
図５に示されるトークンＴの電気的構成は、上記図３に示されるトークンＴと同一であるので、このトークンＴの説明は省略する。
【００３３】
図６は、改札機本体Ｇに組込まれているケースＣ1 ，Ｃ2 部分の詳細図である。これらケースＣ1 ，Ｃ2 は、改札機本体Ｇ内では、ボックスＢ内の所定位置に位置決めされて着脱自在に装着（セット）されている。そして、このボックスＢが筐体Ｈの所定位置にセットされたときに、ケースＣ1 ，Ｃ2 にそれぞれ収納されている複数本（図示の例では６本）のマガジンＭ1 〜Ｍ6 の上方が改札機本体Ｇに設けられている分別器６０の下部と一致できるように決められている。
【００３４】
分別器６０は、トークン投入口５を開閉する図示しないソレノイドで駆動されるシャッタ５ａの下方に設けられている。そして、トークン投入口５から投入されたトークンＴは、図示しないソレノイドで駆動されるフラッパＦ1 を介してトークンＴを返却口６側へ導くシュータ５ｂ、又はトークンＴをケースＣ1 ，Ｃ2側へ導くシュータ５ｃへ移動できるように構成されている。
【００３５】
フラッパＦ1 が図６の実線位置に位置しているときは、トークン投入口５に投入されたトークンＴに記録されているデータでは出場を許可できないときであり、この場合は、ドアＤ1 が閉じられるとともに、投入されたトークンＴは返却口６に返却される。このときは、スピーカ３及び表示画面４を介して精算処理案内等の適切な案内が行われる。なお、入場時において、改札機本体Ｇがトークン投入口５に投入しても入場処理ができるように運用されているとき、その入場時に投入されたトークンＴは返却口６へ返却される。
【００３６】
トークン投入口５に投入されたトークンＴに記録されているデータに基づいたＣＰＵ２０の出場の演算処理が判定ＯＫのときは、フラッパＦ1 が図６の鎖線位置となり、トークンＴはシュータ５ｃ側に導かれる。そして、そのトークンＴの種別によりフラッパＦ2 を介してケースＣ1 側のシュータ５ｄ又はケースＣ2 側のシュータ５ｅに導かれる。図６では、投入されたトークンＴがケースＣ2 の側のフラッパＦ3 〜Ｆ7 を介してマガジンＭ1 に収納される状態を示している。すなわち、トークン投入口５に投入されたトークンＴがケースＣ2 側のマガジンＭ1 〜Ｍ6 のいずれか一つに投入されるには、フラッパＦ2 〜Ｆ7 を介していずれか一つのマガジン（Ｍ1 〜Ｍ6 ）が選択される。また、ケースＣ1 側のマガジンＭ1 〜Ｍ6 のいずれか一つに投入されるには、フラッパＦ2 ，Ｆ8 〜Ｆ12を介していずれか一つのマガジン（Ｍ1 〜Ｍ6 ）が選択される。
【００３７】
図６に示されるケースＣ1 のマガジンＭ1 〜Ｍ6 は、所定の一つの種別を示す白色に色分けされたトークンＴが収納できるように設定されている。また、ケースＣ2 のマガジンＭ1 には、上述の白色のトークンＴと異なる緑色のトークンＴが収納できるように設定されている。同様に、ケースＣ2 のマガジンＭ2 には黒色のトークンＴが、マガジンＭ3 には青色のトークンＴが、マガジンＭ4 には黄色のトークンＴが、マガジンＭ5 には赤色のトークンＴが、そして、マガジンＭ6 にはケースＣ1 側と同じ白色のトークンＴが収納できるように設定されている。
【００３８】
トークンＴの色分けは、例えば、区数別、運賃別、子供（小児）用、往復用、回数用等の各種別に応じてきめられている。トークンＴの色分けは、トークンＴを合成樹脂を用いて製造するときのその合成樹脂の種類や着色料を選択して容易に所望の色彩とすることができる。
【００３９】
このように、トークンＴを種別に合わせて色分けすると、トークンＴの取扱いが極めて容易になるとともに、そのトークンＴの種別を容易に判別することができる。なお、マガジンＭ1 〜Ｍ6 を収納するトークンＴと同一の色彩とすると、収納ミスを容易に判別することができる。
【００４０】
上記図１を用いて説明したように、改札機本体Ｇに装着されていたケースＣ1 ，Ｃ2 は、発売機本体ｔ1 ，ｔ2 に装着されてトークンＴの再利用が図られる。ケースＣ1 ，Ｃ2 が発売機本体ｔ1 ，ｔ2 に装着されたときは、図示しない放出機構により各マガジンＭ1 〜Ｍ6 の下部に設けられている開口ｍから１枚のトークンＴが排出されるように構成されている。このマガジンＭ1 〜Ｍ6 の下部から１枚のトークンＴが排出される機構については、本出願人が別途提案している特願２０００−１５８００号に詳述されているので、これ以上の説明は省略する。
【００４１】
図７は、上述のケースＣ1 ，Ｃ2 をさらに大型にし、マガジンを２列に収納できるようにしたもので、このケースＣには、合計１２本のマガジンＭ1 〜Ｍ12が収納できるように構成されている。しかも、このケースＣには、マガジンＭ1 〜Ｍ12を収納できる以外に複数（図示の例では２個）の収納庫Ｃ′，Ｃ″がケースＣを利用して設けられている。これら収納庫Ｃ′，Ｃ″は、マガジンＭ1 〜Ｍ12の予備の収納部に当り、例えば、各マガジンＭ1 〜Ｍ12が図８に示されるように割り当てられているとき、マガジンＭ1 〜Ｍ6 ，Ｍ12が白色のトークンＴで満杯になったにもかかわらず、他のマガジンＭ7 〜Ｍ11にまだ十分な余裕があるときに、白色のトークンＴが収納される。また、マガジンＭ7 〜Ｍ11のうち、いずれかのマガジンが満杯になったときは、その満杯になったマガジン用のトークンＴが収納庫Ｃ″に収納される。
【００４２】
各マガジンＭ1 〜Ｍ12及び収納庫Ｃ′，Ｃ″をどのような種別に応じて割当てるかは、当該駅のトークンＴの利用状況に応じて決められる。図９は、その割当ての他の例を示している。
【００４３】
なお、このように、マガジンの数が増加されたときは、上記分別器６０もそれに合わせた構成とされる。
【００４５】
【発明の効果】
本発明の請求項１に記載の非接触式トークンを用いた改札システムは、第１の発売機本体に所定の金額を満たす金銭が投入されたときに、その第１の発売機本体に着脱自在に装着された第１のケース内に設けられている複数のマガジンの一つから１個のトークンを排出して発行する第１の非接触式トークン発売機と、第２の発売機本体に所定の金額を満たす金銭が投入されたときに、その第２の発売機本体に着脱自在に装着された第２のケース内に設けられている複数のマガジンの中からその所定の金額に対応するトークンを１個排出して発行する第２の非接触式トークン発売機と、改札機本体に投入された所定の一種類のトークンを収納する複数のマガジンと該マガジンが満杯になった場合に非接触式トークンを収納する予備の収納部とが設けられた第１のケース及びその改札機本体に投入された所定の複数のトークンを種別毎に収納する複数のマガジンと該複数のマガジンのうちいずれかのマガジンが満杯になった場合にその満杯になったマガジン用の非接触式トークンを収納する予備の収納部とが設けられた第２のケースをその改札機本体内に着脱自在に設けた非接触式自動改札機とを有し、前記改札機本体に装着されている前記第１のケース及び前記第２のケースを前記第１の発売機本体及び前記第２の発売機本体にそれぞれ装着するので、トークンの再利用を容易に行うことができる。
また、本発明の請求項２に記載のトークンを用いた改札システムは、第２のケースに設けられる予備の収納部によって、最も発売量の多い種類の非接触式トークン用のマガジンが満杯になった場合、その非接触式トークンを収納し、最も発売量の多い種類以外の非接触式トークン用のマガジンが満杯の場合、その非接触式トークンを収納することができる。
さらに、本発明の請求項３に記載のトークンを用いた改札システムは、トークンを種別毎に色彩を異ならせたので、トークンの取扱いが容易になる特長がある。
また、本発明の請求項４に記載のトークンを用いた改札システムは、第２のケースに設けられる複数のマガジンを収納する非接触式トークと同一の色彩とすることにより、収納ミスを容易に判別することができる。
【図面の簡単な説明】
【図１】本発明の一実施の形態に係る非接触式トークンを用いた改札システムの概略構成図である。
【図２】改札機本体の斜視図。
【図３】制御器及びトークンの電気的構成を示すブロック図である。
【図４】発売機本体の正面図である。
【図５】制御器及びトークンの電気的構成を示すブロック図である。
【図６】改札機本体のトークン投入口部分の詳細図である。
【図７】ケースの他の例である。
【図８】トークンの色分けの一例を示す説明図である。
【図９】トークンの色分けの他の例を示す説明図である。
【図１】
0004854155.tif 000002
【図２】
0004854155.tif 000003
【図３】
0004854155.tif 000004
【図４】
0004854155.tif 000005
【図５】
0004854155.tif 000006
【図６】
0004854155.tif 000007
【図７】
0004854155.tif 000008
【図８】
0004854155.tif 000009
【図９】
0004854155.tif 000010